(57)【特許請求の範囲】
【請求項１】
（１）全芳香族含有量が５質量％以下の合成油７０〜９７質量％および（２）分子中に、炭素数１〜５０のアルキル基を有し、ベンゼン環を一個およびナフテン環を一個または二個以上含有し、これらベンゼン環およびナフテン環が全て縮合して多環化合物を形成した構造を有するナフテノ芳香族成分３〜３０質量％を含有する基油１００重量部に対し、（３）硫黄含有酸化防止剤０．０１〜１０重量部を配合してなる潤滑油組成物。
【請求項２】
（１）全芳香族含有量が５質量％以下のワックス異性化油７０〜９７質量％および（２）分子中に、炭素数１〜５０のアルキル基を有し、ベンゼン環を一個およびナフテン環を一個または二個以上含有し、これらベンゼン環およびナフテン環が全て縮合して多環化合物を形成した構造を有するナフテノ芳香族成分３〜３０質量％を含有する基油１００重量部に対し、（３）硫黄含有酸化防止剤０．０１〜１０重量部を配合してなる潤滑油組成物。
【請求項３】
前記（２）成分が、炭素数１〜５０のアルキル基を有するアルキルテトラリンである請求項１又は２に記載の潤滑油組成物。
【請求項４】
前記（３）成分として、金属ジヒドロカルビルジチオリン酸塩類、金属ジチオカルバミン酸金属塩、サルファイドから選ばれる少なくとも一つを配合してなる請求項１〜３のいずれかに記載の潤滑油組成物。
【請求項５】
前記（３）成分として、金属ジチオカルバミン酸金属塩、ジヒドロカルビルポリサルファイド、ジエステルポリサルファイド、テトラエステルポリサルファイドから選ばれる少なくとも一つを配合してなる請求項１〜３のいずれかに記載の潤滑油組成物。
【発明の詳細な説明】
【０００１】
【発明の属する技術分野】
本発明は潤滑油組成物に関し、さらに詳しくは優れた酸化安定性を有し、特に内燃機関に好適に使用することができる潤滑油組成物に関する。
【０００２】
【従来の技術】
一般に、内燃機関における潤滑油は、ピストン−シリンダー間などの高温部にさらされ、空気や燃焼ガスとの反応によって劣化してしまう。
【０００３】
一方、最近は排ガス規制対策のため三元触媒を装着する自動車が増えており、内燃機関をより過酷に運転することが許容されるようになった。また、省エネルギーの観点から、燃費改善を目的として自動車車体の軽量化が推進され、それに伴ってクランクケースも小型化され、クランクケース油の量が減少している。その結果、潤滑油はより過酷な条件下で使用されることになる。
その他、近年、天然ガス、ＬＰＧまたは分解ガスなどのガスを使用するガス機関が多用されているが、このガス機関では潤滑油の使用温度はさらに高くなっている。
これらの理由で、近年、潤滑油の酸化安定性は重要性を増しているが、これに対しては従来は鉱物油又は合成油基油に対してジチオリン酸亜鉛、ヒンダードフェノール、芳香族アミンなどの酸化防止剤を添加することによって対処していたが、十分なものではなかった。
【０００４】
【発明が解決しようとする課題】
本発明の目的は、潤滑油の酸化安定性をさらに向上させ、酸化安定性の高い内燃機関用潤滑油組成物を提供することにある。
【０００５】
【課題を解決するための手段】
すなわち本発明は、（１）全芳香族含有量が５質量％以下の合成油（以下、「成分（１）」という。）７０〜９７質量％および（２）ベンゼン環を一個含有するナフテノ芳香族成分（以下、「成分（２）」という。）３〜３０質量％を含有する基油１００重量部に対し、（３）硫黄含有酸化防止剤（以下、「成分（３）」という。）０．０１〜１０重量部を配合してなる潤滑油組成物を提供するものであり、このような特定の組成を有する基油に特定の添加剤を組み合わせることにより、それぞれを単独で使用した場合には得られない優れた酸化安定性を得ることができたものである。
【０００６】
【発明の実施の形態】
以下、本発明の内容を詳細に説明する。
本発明でいう成分（１）の全芳香族含有量が５質量％以下の合成油は、その全芳香族含有量が５質量％以下であり、好ましくは３質量％以下であることが肝要である。全芳香族含有量が５質量％を超える場合は成分（２）および成分（３）との相乗効果があまり得られず、優れた酸化防止性およびスラッジ生成防止性が発揮されない可能性があるため好ましくない。
【０００７】
なお、本発明でいう全芳香族含有量とは、ＡＳＴＭ  Ｄ  ２５４９に規定される“Ｓｔａｎｄａｒｄ  Ｔｅｓｔ  Ｍｅｔｈｏｄ  ｆｏｒ  Ｓｅｐａｒａｔｉｏｎ  ｏｆ  Ｒｅｐｒｅｓｅｎｔａｔｉｖｅ  Ａｒｏｍａｔｉｃｓ  ａｎｄ  Ｎｏｎａｒｏｍａｔｉｃｓ  Ｆｒａｃｔｉｏｎｓ  ｏｆ  Ｈｉｇｈ−ＢｏｉｌｉｎｇＯｉｌｓ  ｂｙ  Ｅｌｕｔｉｏｎ  Ｃｈｒｏｍａｔｏｇｒａｐｈｙ”に準拠して測定した芳香族留分（ａｒｏｍａｔｉｃｓ  ｆｒａｃｔｉｏｎ）含有量を意味しており、通常、この芳香族留分には、アルキルベンゼン、アルキルナフタレン、アントラセン、フェナントレン、およびこれらのアルキル化物、四環以上のベンゼン環が縮合した化合物、またはピリジン類、キノリン類、フェノール類、ナフトール類などのヘテロ芳香族を有する化合物などが含まれる。
【０００８】
成分（１）の粘度は特に制限されるものではないが、４０℃における動粘度が５ｍｍ2 ／ｓ以上、好ましくは１０ｍｍ2 ／ｓ以上であり、かつ２００ｍｍ2 ／ｓ以下、好ましくは１００ｍｍ2 ／ｓ以下であることが望ましい。成分（１）の４０℃における動粘度を５ｍｍ2 ／ｓ以上とすることによって、油膜形成が十分であり、潤滑性に優れ、また高温条件下での基油の蒸発損失を小さくすることができるため好ましい。一方、成分（１）の４０℃における動粘度を２００ｍｍ2 ／ｓ以下とすることによって、流体抵抗が小さくなるため潤滑箇所での摩擦抵抗が小さくなるため好ましい。
【０００９】
本発明でいう成分（１）の具体例としてはワックス異性化油、オレフィン重合体またはその水素化物；ジトリデシルグルタレート、ジ−２−エチルヘキシルアジペート、ジイソデシルアジペート、ジトリデシルアジペート、ジ−２−エチルヘキシルセバケートなどのジエステル；トリメチロールプロパンカプリレート、トリメチロールプロパンペラルゴネート、ペンタエリスリトール−２−エチルヘキサノエート、ペンタエリスリトールペラルゴネートなどのポリオールエステル；トリメリット酸エステルなどのポリエステル、アルキルベンゼン、アルキルナフタレン、ポリオキシアルキレングリコール、ジアルキルジフェニルエーテル、ポリフェニルエーテルなどが挙げられ、これらの中でもワックス異性化油およびオレフィンの重合体またはその水素化物が好ましい。
【００１０】
なおこれらの基油は、全芳香族含有量が５質量％以下である、という条件を満足している限りにおいて、単独でも、２種以上任意の割合で組み合わせて使用してもよい。従って、例えばアルキルベンゼンやアルキルナフタレンのような芳香族基を含有する合成油を他の合成油と併用したとしても、基油の全芳香族含有量が５質量％以下であれば本発明の範囲に含まれる。
【００１１】
成分（１）の好適な例の一つであるワックス異性化油の構成は特に制限されるものではないが、通常、飽和炭化水素成分９５〜９９．５質量％、芳香族炭化水素成分０．１〜５質量％および極性化合物０．０１〜１質量％を含有する。
ここでいう各成分の含有量は、Ａｎａｌｙｔｉｃａｌ  Ｃｈｅｍｉｓｔｒｙ第４４巻第６号（１９７２）第９１５〜９１９頁“Ｓｅｐａｒａｔｉｏｎ  ｏｆ  Ｈｉｇｈ−Ｂｏｉｌｉｎｇ  Ｐｅｔｒｏｌｅｕｍ  Ｄｉｓｔｉｌｌａｔｅｓ  Ｕｓｉｎｇ  Ｇｒａｄｉｅｎｔ  Ｅｌｕｔｉｏｎ  Ｔｈｒｏｕｇｈ  Ｄｕａｌ−Ｐａｃｋｅｄ（Ｓｉｌｉｃａ  Ｇｅｌ−Ａｌｕｍｉｎａ  Ｇｅｌ）  Ａｄｓｏｒｐｔｉｏｎ  Ｃｏｌｕｍｎｓ”に記載された方法に準拠し、但し、この方法においてシリカゲルを下に、アルミナゲルを上に充填し、また飽和炭化水素成分の溶出にｎ−へプタンを、芳香族炭化水素成分の溶出にベンゼンを、極性化合物の溶出にメタノールを使用することにより、試料中の芳香族炭化水素成分と極性化合物を分離することができる方法によって測定したものである。
【００１２】
ワックス異性化油の性状については特に制限はないが、通常以下に列挙するような性状を有する。
４０℃における動粘度；１０〜２５ｍｍ2 ／ｓ、好ましくは１０〜２０ｍｍ2 ／ｓ。
１００℃における動粘度；１〜１０ｍｍ2 ／ｓ、好ましくは２〜６ｍｍ2 ／ｓ。
粘度指数；１３０〜１５０、好ましくは１４０〜１５０。
流動点；−２５〜−１０℃、好ましくは−２５〜−１５℃。
【００１３】
ワックス異性化油の製法については特に制限はないが、その一例を挙げると、ワックスを異性化触媒の下で水素化分解を行い、イソパラフィンへと異性化する方法が挙げられる。原料として用いられるワックスとしては溶剤脱ろうから得られるスラックワックスや、天然ガスのガス化プロセス（部分酸化）によって得られる水素と一酸化炭素を原料にして、フィッシャートロプシュ合成で重質直鎖パラフィンとしたものが挙げられる。
【００１４】
また異性化触媒としては例えば第ＩＩＩ族、第ＩＶ族および第Ｖ族元素の酸化物または複合酸化物から構成される担体に第ＶＩｂ族金属および第ＶＩＩＩ族鉄族金属から構成される触媒を担持し、最終的に硫化物としたものが挙げられる。この触媒にはさらに必要に応じてフッ素含有化合物が担持されていてもよい。
第ＶＩｂ族金属としてはタングステンおよびモリブデンが、第ＶＩＩＩ族鉄族金属としてはニッケル、コバルトおよび鉄が挙げられる。
【００１５】
担体としてはシリカ、アルミナ、ジルコニア、チタニア、マグネシアなどの酸化物；シリカアルミナ、シリカジルコニア、シリカチタニア、シリカマグネシア、シリカアルミナジルコニア、シリカアルミナチタニア、シリカアルミナマグネシア、結晶性シリカアルミナ（ゼオライト）、結晶性アルミナホスフェート、結晶性シリカアルミナホスフェートなどの複合酸化物などが挙げられ、これらのなかでもアルミナおよびシリカアルミナが好ましい。
【００１６】
このようにして得られた水素化分解油をそのままワックス異性化油として供することもできるが、原料の性状や得ようとするワックス異性化油の性状に応じ、軽質分を除去してもよく、また溶剤脱ろうや接触脱ろうなどによる脱ろう処理を行ってもよい。
【００１７】
成分（１）の好適な例の一つであるオレフィン重合体またはその水素化物を構成するオレフィンは、炭素数２〜１６、好ましくは炭素数２〜１２のオレフィンであることが望ましく、そのオレフィンは二重結合が末端にあるいわゆるα−オレフィンであっても、またその二重結合が内部にあるいわゆる内部オレフィンであっても差し支えない。また直鎖状オレフィンであっても、分枝状オレフィンであっても良い。
【００１８】
このようなオレフィンとしては、例えば、エチレン、プロピレン、１−ブテン、２−ブテン、イソブテン、直鎖状または分枝状のペンテン（α−オレフィン、内部オレフィンを含む）、直鎖状または分枝状のヘキセン（α−オレフィン、内部オレフィンを含む）、直鎖状または分枝状のヘプテン（α−オレフィン、内部オレフィンを含む）、直鎖状または分枝状のオクテン（α−オレフィン、内部オレフィンを含む）、直鎖状または分枝状のノネン（α−オレフィン、内部オレフィンを含む）、直鎖状または分枝状のデセン（α−オレフィン、内部オレフィンを含む）、直鎖状または分枝状のウンデセン（α−オレフィン、内部オレフィンを含む）、直鎖状または分枝状のドデセン（α−オレフィン、内部オレフィンを含む）、直鎖状または分枝状のトリデセン（α−オレフィン、内部オレフィンを含む）、直鎖状または分枝状のテトラデセン（α−オレフィン、内部オレフィンを含む）、直鎖状または分枝状のペンタデセン（α−オレフィン、内部オレフィンを含む）、直鎖状または分枝状のヘキサデセン（α−オレフィン、内部オレフィンを含む）、およびこれらの混合物などが挙げられるが、特にエチレン、プロピレン、１−ブテン、２−ブテン、イソブテン、１−オクテン、１−デセン、１−ドデセンおよびこれらの混合物などが好ましく用いられる。
【００１９】
オレフィン重合体には、１種のオレフィンの単独重合体だけでなく、２種以上のオレフィンのランダム共重合体、交互共重合体、ブロック共重合体などの共重合体が包含される。
【００２０】
オレフィン重合体は、通常、二重結合を含有するものであるが、熱・酸化安定性に優れる点から、その二重結合を水素化したオレフィン重合体を用いることが好ましい。
【００２１】
オレフィン重合体の製造方法は任意であり、何ら限定されるものでないが、一般に、無触媒による熱反応により、また過酸化ベンゾイルなどの有機過酸化物触媒；塩化アルミニウム、塩化アルミニウム−多価アルコール系、塩化アルミニウム−四塩化チタン系、塩化アルミニウム−アルキル錫ハライド系、フッ化ホウ素などのフリーデルクラフツ型触媒；有機塩化アルミニウム−四塩化チタン系、有機アルミニウム−四塩化チタン系などのチーグラー型触媒；アルミノキサン−ジルコノセン系やイオン性化合物−ジルコノセン系などのメタロセン型触媒；塩化アルミニウム−塩基系やフッ化ホウ素−塩基系などのルイス酸コンプレックス型触媒などの公知の触媒系を用いて、上記のオレフィンを単独重合または共重合させることによって得られる。
【００２２】
オレフィン重合体の水素化物を得る方法も任意であり、例えば、オレフィン重合体を公知の水素化触媒の存在下で水素で水素化し、オレフィン重合体中に存在する二重結合を飽和化することによって得られる。また、触媒によってはオレフィンの重合と得られた重合体の水素化という二段階の工程を経ることなく、一段階でオレフィンの重合と重合体中に存在する二重結合の水素化を行えるものもある。
【００２３】
オレフィン重合体としては、熱・酸化安定性、粘度−温度特性、低温流動性に優れる点から、エチレン−プロピレン共重合体、ポリブテン［ナフサ熱分解の際に副生するブタン−ブテン（１−ブテン、２−ブテンおよびイソブテンの混合物）留分の重合によって得られる共重合体］、１−オクテンオリゴマー、１−デセンオリゴマー、１−ドデセンオリゴマーやこれらの水素化物、ならびにこれらの混合物などがより好ましく用いられ、エチレン−プロピレン共重合体水素化物、ポリブテン水素化物、１−オクテンオリゴマー水素化物、１−デセンオリゴマー水素化物、１−ドデセンオリゴマー水素化物、およびこれらの混合物が特に好ましく用いられる。
【００２４】
なお、現在、潤滑油基油用として市販されているエチレン−プロピレン共重合体、ポリブテンおよびポリ−α−オレフィンなどの合成油は、通常、その二重結合が既に水素化されているものであり、本発明においてはこれら市販品も好ましく用いることができる。
【００２５】
オレフィン重合体もしくはその水素化物の数平均分子量は２５０以上、好ましくは３５０以上であり、かつ４０００以下、好ましくは３０００以下、さらに好ましくは１５００以下であることが望ましい。数平均分子量を２５０以上とすることによって、油膜形成が十分となり、優れた潤滑性を得ることができ、また高温条件下での基油の蒸発損失が小さくなるため好ましい。一方、数平均分子量を４０００以下とすることによって、流体抵抗が小さくなるため、潤滑箇所での摩擦抵抗が小さくなり好ましい。
【００２６】
本発明でいう基油中の成分（１）の含有割合は７０質量％以上、好ましくは７７質量％以上であり、かつ９７質量％以下、好ましくは８８質量％以下である。成分（１）の含有割合が７０質量％未満である場合は粘度が増加する、潤滑性能が落ちる、などの不具合が生じるため好ましくない。また上記割合が９７質量％を超える場合は粘度が増加する、潤滑性能が落ちる、などの不具合が生じるおそれがあるため好ましくない。
【００２７】
本発明の成分（２）であるベンゼン環を一個含有するナフテノ芳香族成分とは分子中に一個のベンゼン環および一個または二個以上のナフテン環を含有するものであり、これらベンゼン環およびナフテン環は全て縮合して、多環化合物を形成する。分子中に含まれるナフテン環の数は１〜１５、好ましくは１〜１０である。
ここでいうナフテン環としては５員環、６員環および７員環が挙げられるが、主に５員環および６員環である。また分子中のベンゼン環及び／又はナフテン環中の任意の数の水素原子がアルキル基で置換されていてもよい。アルキル基の炭素数は通常１〜５０であり、置換アルキル基の合計炭素数は通常１〜５０程度である。
【００２８】
このような成分（２）の具体例としてはテトラリン、インダン、１，２，７，８−テトラヒドロ−ａｓ−インダセン、１，２，５，６−テトラヒドロ−ｓ−インダセン、１，２，３，４，５，６−ヘキサヒドロアセナフチレン、１，２，３，４−テトラヒドロフルオレン、２，３，３ａ，４，５，６−ヘキサヒドロフェナレン、１，２，３，４，４ａ，９，１０，１０ａ−オクタヒドロフェナントレン、１，２，３，４，５，６，７，８−オクタヒドロフェナントレン、１，２，３，４，４ａ，９，９ａ，１０−オクタヒドロアントラセン、１，２，３，４，５，６，７，８−オクタヒドロアントラセン、アルキルテトラリン、アルキルインダン、アルキル−１，２，７，８−テトラヒドロ−ａｓ−インダセン、アルキル−１，２，５，６−テトラヒドロ−ｓ−インダセン、アルキル−１，２，３，４，５，６−ヘキサヒドロアセナフチレン、アルキル−１，２，３，４−テトラヒドロフルオレン、アルキル−２，３，３ａ，４，５，６−ヘキサヒドロフェナレン、アルキル−１，２，３，４，４ａ，９，１０，１０ａ−オクタヒドロフェナントレン、アルキル−１，２，３，４，５，６，７，８−オクタヒドロフェナントレン、アルキル−１，２，３，４，４ａ，９，９ａ，１０−オクタヒドロアントラセン、アルキル−１，２，３，４，５，６，７，８−オクタヒドロアントラセン、またはこれらの混合物が挙げられ、この中でも特にアルキルテトラリンが好ましい。
【００２９】
成分（２）の好適な例であるアルキルテトラリンは、熱・酸化安定性に優れる点や入手可能性の点から、炭素数１〜４０のアルキル基を１〜４個有し、かつそのアルキル基の合計炭素数が６〜４０であるアルキルテトラリンであることが好ましく、炭素数１〜４０のアルキル基を１〜４個有し、かつそのアルキル基の合計炭素数が１２〜４０であるアルキルテトラリンであることがより好ましく、炭素数１〜３０のアルキル基を１〜４個有し、かつアルキル基の合計炭素数が１５〜３０であるアルキルテトラリンであることがさらに好ましい。
アルキル基の合計炭素数が６以上のアルキルテトラリンを使用することにより、油膜形成が十分となり、優れた潤滑性が得られ、また高温条件下での基油の蒸発損失が小さくなるため好ましい。一方、アルキル基の合計炭素数が４０以下のアルキルテトラリンを使用することにより、流体抵抗が小さくなるため、潤滑箇所での摩擦抵抗が小さくなるため好ましい。
【００３０】
アルキルテトラリンに関していう炭素数１〜４０のアルキル基は、直鎖状であっても分枝状であっても差し支えなく、そうしたアルキル基の具体例を示せば、メチル基、エチル基、プロピル基、イソプロピル基、ｎ−ブチル基、イソブチル基、ｓｅｃ−ブチル基、ｔｅｒｔ−ブチル基、直鎖または分枝のブチル基、直鎖または分枝のペンチル基、直鎖または分枝のヘキシル基、直鎖または分枝のヘプチル基、直鎖または分枝のオクチル基、直鎖または分枝のノニル基、直鎖または分枝のデシル基、直鎖または分枝のウンデシル基、直鎖または分枝のドデシル基、直鎖または分枝のトリデシル基、直鎖または分枝のテトラデシル基、直鎖または分枝のペンタデシル基、直鎖または分枝のヘキサデシル基、直鎖または分枝のヘプタデシル基、直鎖または分枝のオクタデシル基、直鎖または分枝のノナデシル基、直鎖または分枝のイコシル基、直鎖または分枝のヘンイコシル基、直鎖または分枝のドコシル基、直鎖または分枝のトリコシル基、直鎖または分枝のテトラコシル基、直鎖または分枝のペンタコシル基、直鎖または分枝のヘキサコシル基、直鎖または分枝のヘプタコシル基、直鎖または分枝のオクタコシル基、直鎖または分枝のノナコシル基、直鎖または分枝のトリアコンチル基、直鎖または分枝のヘントリアコンチル基、直鎖または分枝のドトリアコンチル基、直鎖または分枝のトリトリアコンチル基、直鎖または分枝のテトラトリアコンチル基、直鎖または分枝のペンタトリアコンチル基、直鎖または分枝のヘキサトリアコンチル基、直鎖または分枝のヘプタトリアコンチル基、直鎖または分枝のオクタトリアコンチル基、直鎖または分枝のノナトリアコンチル基、直鎖または分枝のテトラコンチル基などが挙げられる。
【００３１】
アルキルテトラリンのアルキル基としてはエチレンのオリゴマーから誘導されるアルキル基であることが特に好ましい。
【００３２】
また、アルキルテトラリンのアルキル基の個数は、１〜４個の範囲で選択できるが、熱・酸化安定性と入手可能性の点から１個または２個のアルキル基を有するアルキルテトラリン、すなわち、モノアルキルテトラリン、ジアルキルテトラリンまたはこれらの混合物がアルキルテトラリンとして最も好ましい。
【００３３】
断るまでもないが、アルキルテトラリンは、炭素数１〜４０のアルキル基を１〜４個有し、かつアルキル基の合計炭素数が６〜４０である限り、単一構造のアルキルテトラリンであっても、構造の異なるアルキルテトラリンの混合物であっても差し支えない。
【００３４】
アルキルテトラリンの製造方法は任意であり、何ら限定されるものでないが、一般には以下に示す合成法によって製造できる。
【００３５】
原料となる芳香族化合物としては、例えば、テトラリン、ナフタレン、およびこれらの混合物などが用いられる。原料としてナフタレンを用いる場合には、アルキル化した後部分核水素化することによってアルキルテトラリンを得ることができる。
またアルキル化剤としては、例えば、エチレン、プロピレン、ブテン、イソブチレンなどの低級モノオレフィン、好ましくはエチレン、またはプロピレンの重合によって得られる炭素数６〜４０の直鎖または分枝のオレフィン；ワックス、重質油、石油留分、ポリエチレン、ポリプロピレンなどの熱分解によって得られる炭素数６〜４０の直鎖状または分枝状のオレフィン；灯油、軽油などの石油留分からｎ−パラフィンを分離し、これを触媒によりオレフィン化することによって得られる炭素数６〜４０の直鎖状オレフィン；およびこれらの混合物などが使用できる。
【００３６】
アルキル化の際のアルキル化触媒としては、塩化アルミニウム、塩化亜鉛などのフリーデルクラフツ型触媒；硫酸、リン酸、ケイタングステン酸、フッ化水素酸、活性白土などの酸性触媒；など、公知の触媒が用いられる。
【００３７】
なお、ここでいう部分核水素化の条件は任意であるが、通常は水素化触媒の存在下、全圧力１〜１５ＭＰａ、温度１００〜２００℃、ＬＨＳＶ０．１〜２．０ｈｒ−１などの反応条件で、分解率３０〜７０質量％になるように水素化分解条件が採用される。
水素化触媒には任意のものが使用できるが、通常は例えば、モリブデン、クロム、タングステン、バナジウム、白金、ニッケル、銅、鉄、コバルト、これらの酸化物および／または硫化物、もしくはこれらの混合物などが使用される。
これらの触媒はそのまま用いても良く、またシリカ−アルミナ、活性アルミナ、ゼオライト、ケイソウ土などの担体に担持された形で用いても良い。
【００３８】
成分（２）の粘度は特に制限されるものではないが、４０℃における動粘度が５ｍｍ2 ／ｓ以上、好ましくは１０ｍｍ2 ／ｓ以上であり、かつ２００ｍｍ2 ／ｓ以下、好ましくは１００ｍｍ2 ／ｓ以下であることが望ましい。成分（２）の４０℃における動粘度を５ｍｍ2 ／ｓ以上とすることによって、油膜形成が十分であり、潤滑性に優れ、また高温条件下での基油の蒸発損失を小さくすることができるため好ましい。一方、成分（２）の４０℃における動粘度を２００ｍｍ2 ／ｓ以下とすることによって、流体抵抗が小さくなるため潤滑箇所での摩擦抵抗が小さくなるため好ましい。
【００３９】
本発明でいう基油中の成分（２）の含有割合は３質量％以上、好ましくは１２質量％以上であり、かつ３０質量％以下、好ましくは２３質量％以下である。成分（２）の含有割合が３質量％未満である場合および３０質量％を超える場合は潤滑油の使用に伴う酸化劣化を防止する能力が十分でなく、潤滑油の粘度が増加する、潤滑性能が落ちる、などの不具合が生じるため好ましくない。
【００４０】
本発明において使用する基油は成分（１）および成分（２）を含有してなり、その粘度に格別な制限はないが、一般には、４０℃における動粘度が５ｍｍ2 ／ｓ以上、好ましくは１０ｍｍ2 ／ｓ以上であり、かつ２００ｍｍ2 ／ｓ以下、好ましくは１００ｍｍ2 ／ｓ以下であることが望ましい。基油の４０℃における動粘度を５ｍｍ2 ／ｓ以上とすることによって、油膜形成が十分であり、潤滑性に優れ、また高温条件下での基油の蒸発損失を小さくすることができるため好ましい。一方、基油の４０℃における動粘度を２００ｍｍ2 ／ｓ以下とすることによって、流体抵抗が小さくなるため潤滑箇所での摩擦抵抗が小さくなるため好ましい。
【００４１】
本発明でいう成分（３）である硫黄含有酸化防止剤としてはジヒドロカルビルジチオリン酸亜鉛、ジヒドロカルビルジチオリン酸モリブデンなどの金属ジヒドロカルビルジチオリン酸塩類；ジヒドロカルビルジチオカルバミン酸亜鉛、ジヒドロカルビルジチオカルバミン酸モリブデン、ジヒドロカルビルジチオカルバミン酸銅などの金属ジチオカルバミン酸塩類；サルファイド類およびこれらの混合物が挙げられ、これらの中でもジヒドロカルビルジチオリン酸亜鉛、ジヒドロカルビルジチオカルバミン酸亜鉛、ジヒドロカルビルジチオカルバミン酸モリブデン、サルファイド類などが好ましい。
【００４２】
成分（３）の好適な例の一つであるジヒドロカルビルジチオリン酸亜鉛としては次の一般式（１）で表される化合物が挙げられる。
【００４３】
【化１】
0004165773.tif 000002
【００４４】
一般式（１）中、Ｒ1 、Ｒ2 、Ｒ3 およびＲ4 は、別個に、炭素数１〜１８の炭化水素基を示し、そうした炭化水素基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝のペンチル基、直鎖または分枝のヘキシル基、直鎖または分枝のヘプチル基、直鎖または分枝のオクチル基、直鎖または分枝のノニル基、直鎖または分枝のデシル基、直鎖または分枝のウンデシル基、直鎖または分枝のドデシル基、直鎖または分枝のトリデシル基、直鎖または分枝のテトラデシル基、直鎖または分枝のペンタデシル基、直鎖または分枝のヘキサデシル基、直鎖または分枝のヘプタデシル基、直鎖または分枝のオクタデシル基などの炭素数１〜１８のアルキル基；直鎖または分枝のブテニル基、直鎖または分枝のペンテニル基、直鎖または分枝のヘキセニル基、直鎖または分枝のヘプテニル基、直鎖または分枝のオクテニル基、直鎖または分枝のノネニル基、直鎖または分枝のデセニル基、直鎖または分枝のウンデセニル基、直鎖または分枝のドデセニル基、直鎖または分枝のトリデセニル基、直鎖または分枝のテトラデセニル基、直鎖または分枝のペンタデセニル基、直鎖または分枝のヘキサデセニル基、直鎖または分枝のヘプタデセニル基、直鎖または分枝のオクタデセニル基などの炭素数４〜１８のアルケニル基；シクロペンチル基、シクロヘキシル基、シクロヘプチル基などの炭素数５〜７のシクロアルキル基；メチルシクロペンチル基、ジメチルシクロペンチル基（全ての構造異性体を含む）、メチルエチルシクロペンチル基（全ての構造異性体を含む）、ジエチルシクロペンチル基（全ての構造異性体を含む）、メチルシクロヘキシル基、ジメチルシクロヘキシル基（全ての構造異性体を含む）、メチルエチルシクロヘキシル基（全ての構造異性体を含む）、ジエチルシクロヘキシル基（全ての構造異性体を含む）、メチルシクロヘプチル基、ジメチルシクロヘプチル基（全ての構造異性体を含む）、メチルエチルシクロヘプチル基（全ての構造異性体を含む）、ジエチルシクロヘプチル基（全ての構造異性体を含む）などの炭素数６〜１１のアルキルシクロアルキル基；フェニル基、ナフチル基などのアリール基：トリル基（全ての構造異性体を含む）、キシリル基（全ての構造異性体を含む）、エチルフェニル基（全ての構造異性体を含む）、直鎖または分枝のプロピルフェニル基（全ての構造異性体を含む）、直鎖または分枝のブチルフェニル基（全ての構造異性体を含む）、直鎖または分枝のペンチルフェニル基（全ての構造異性体を含む）、直鎖または分枝のヘキシルフェニル基（全ての構造異性体を含む）、直鎖または分枝のヘプチルフェニル基（全ての構造異性体を含む）、直鎖または分枝のオクチルフェニル基（全ての構造異性体を含む）、直鎖または分枝のノニルフェニル基（全ての構造異性体を含む）、直鎖または分枝のデシルフェニル基（全ての構造異性体を含む）、直鎖または分枝のウンデシルフェニル基（全ての構造異性体を含む）、直鎖または分枝のドデシルフェニル基（全ての構造異性体を含む）などの炭素数７〜１８の各アルキルアリール基；ベンシル基、フェニルエチル基、フェニルプ���ピル基（プロピル基の異性体を含む）、フェニルブチル基（ブチル基の異性体を含む）、フェニルペンチル基（ペンチル基の異性体を含む）、フェニルヘキシル基（ヘキシル基の異性体を含む）などの炭素数７〜１２の各アリールアルキル基などが挙げられる。
【００４５】
なお、上記のアルキル基やアルケニル基は、酸素に結合する部分の炭素原子が第１級炭素である、いわゆるプライマリーのアルキル基やアルケニル基でもよく、当該炭素原子が第２級である、いわゆるセカンダリーのアルキル基やアルケニル基でもよく、さらに当該炭素原子が第３級である、いわゆるターシャリーのアルキル基やアルケニル基でもよい。
【００４６】
一般式（１）で表される化合物の中でも、Ｒ1 、Ｒ2 、Ｒ3 およびＲ4 が個別に直鎖状または分枝状の炭素数１〜１８のアルキル基であるジアルキルジチオリン酸亜鉛は、特に酸化防止性に優れた潤滑油組成物を与える点で好ましい。
本発明においては、一般式（１）に包含される２種以上のジヒドロカルビルジチオリン酸亜鉛を任意の混合で割合してジヒドロカルビルジチオリン酸亜鉛として使用することもできる。
【００４７】
ジヒドロカルビルジチオリン酸亜鉛の具体例としてはジエチルジチオリン酸亜鉛、ジｎ−プロピルジチオリン酸亜鉛、ジイソプロピルジチオリン酸亜鉛、ジｎ−ブチルジチオリン酸亜鉛、ジイソブチルジチオリン酸亜鉛、ジｓｅｃ−ブチルジチオリン酸亜鉛、ジｔｅｒｔ−ブチルジチオリン酸亜鉛、ジ（直鎖または分枝ペンチル）ジチオリン酸亜鉛、ジ（直鎖または分枝ヘキシル）ジチオリン酸亜鉛、ジ（直鎖または分枝ヘプチル）ジチオリン酸亜鉛、ジ（直鎖または分枝オクチル）ジチオリン酸亜鉛、ジ（直鎖または分枝ノニル）ジチオリン酸亜鉛、ジ（直鎖または分枝デシル）ジチオリン酸亜鉛、ジ（直鎖または分枝ウンデシル）ジチオリン酸亜鉛、ジ（直鎖または分枝ドデシル）ジチオリン酸亜鉛、ジ（直鎖または分枝トリデシル）ジチオリン酸亜鉛、ジ（直鎖または分枝テトラデシル）ジチオリン酸亜鉛、ジ（直鎖または分枝ペンタデシル）ジチオリン酸亜鉛、ジ（直鎖または分枝ヘキサデシル）ジチオリン酸亜鉛、ジ（直鎖または分枝オクタデシル）ジチオリン酸亜鉛、ジフェニルジチオリン酸亜鉛、ジエチルフェニルジチオリン酸亜鉛、ジプロピルフェニルジチオリン酸亜鉛、ジイソプロピルフェニルジチオリン酸亜鉛、ジブチルフェニルジチオリン酸亜鉛、ジペンチルフェニルジチオリン酸亜鉛、ジヘキシルフェニルジチオリン酸亜鉛、ジヘプチルフェニルジチオリン酸亜鉛、ジオクチルフェニルジチオリン酸亜鉛、ジ２−エチルヘキシルフェニルジチオリン酸亜鉛、ジノニルフェニルジチオリン酸亜鉛、ジデシルフェニルジチオリン酸亜鉛、ジウンデシルフェニルジチオリン酸亜鉛、ジドデシルフェニルジチオリン酸亜鉛、ジトリデシルフェニルジチオリン酸亜鉛、ジテトラデシルフェニルジチオリン酸亜鉛、ジペンタデシルフェニルジチオリン酸亜鉛、ジヘキサデシルフェニルジチオリン酸亜鉛、ジヘプタデシルフェニルジチオリン酸亜鉛、ジオクタデシルフェニルジチオリン酸亜鉛またはこれらの混合物を挙げることができる。
【００４８】
また成分（３）の他の好適な例であるジヒドロカルビルジチオカルバミン酸亜鉛としては以下の一般式（２）で表されるものが挙げられる。
【００４９】
【化２】
0004165773.tif 000003
【００５０】
上記一般式（２）中、Ｒ5 、Ｒ6 、Ｒ7 およびＲ8 は別個に、炭素数１〜１８の炭化水素基を示し、そうした炭化水素基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝のペンチル基、直鎖または分枝のヘキシル基、直鎖または分枝のヘプチル基、直鎖または分枝のオクチル基、直鎖または分枝のノニル基、直鎖または分枝のデシル基、直鎖または分枝のウンデシル基、直鎖または分枝のドデシル基、直鎖または分枝のトリデシル基、直鎖または分枝のテトラデシル基、直鎖または分枝のペンタデシル基、直鎖または分枝のヘキサデシル基、直鎖または分枝のヘプタデシル基、直鎖または分枝のオクタデシル基などの炭素数１〜１８のアルキル基；直鎖または分枝のブテニル基、直鎖または分枝のペンテニル基、直鎖または分枝のヘキセニル基、直鎖または分枝のヘプテニル基、直鎖または分枝のオクテニル基、直鎖または分枝のノネニル基、直鎖または分枝のデセニル基、直鎖または分枝のウンデセニル基、直鎖または分枝のドデセニル基、直鎖または分枝のトリデセニル基、直鎖または分枝のテトラデセニル基、直鎖または分枝のペンタデセニル基、直鎖または分枝のヘキサデセニル基、直鎖または分枝のヘプタデセニル基、直鎖または分枝のオクタデセニル基などの炭素数４〜１８のアルケニル基；シクロペンチル基、シクロヘキシル基、シクロヘプチル基などの炭素数５〜７のシクロアルキル基；メチルシクロペンチル基、ジメチルシクロペンチル基（全ての構造異性体を含む）、メチルエチルシクロペンチル基（全ての構造異性体を含む）、ジエチルシクロペンチル基（全ての構造異性体を含む）、メチルシクロヘキシル基、ジメチルシクロヘキシル基（全ての構造異性体を含む）、メチルエチルシクロヘキシル基（全ての構造異性体を含む）、ジエチルシクロヘキシル基（全ての構造異性体を含む）、メチルシクロヘプチル基、ジメチルシクロヘプチル基（全ての構造異性体を含む）、メチルエチルシクロヘプチル基（全ての構造異性体を含む）、ジエチルシクロヘプチル基（全ての構造異性体を含む）などの炭素数６〜１１のアルキルシクロアルキル基；フェニル基、ナフチル基などのアリール基；トリル基（全ての構造異性体を含む）、キシリル基（全ての構造異性体を含む）、エチルフェニル基（全ての構造異性体を含む）、直鎖または分枝のプロピルフェニル基（全ての構造異性体を含む）、直鎖または分枝のブチルフェニル基（全ての構造異性体を含む）、直鎖または分枝のペンチルフェニル基（全ての構造異性体を含む）、直鎖または分枝のヘキシルフェニル基（全ての構造異性体を含む）、直鎖または分枝のヘプチルフェニル基（全ての構造異性体を含む）、直鎖または分枝のオクチルフェニル基（全ての構造異性体を含む）、直鎖または分枝のノニルフェニル基（全ての構造異性体を含む）、直鎖または分枝のデシルフェニル基（全ての構造異性体を含む）、直鎖または分枝のウンデシルフェニル基（全ての構造異性体を含む）、直鎖または分枝のドデシルフェニル基（全ての構造異性体を含む）などの炭素数７〜１８の各アルキルアリール基；ベンシル基、フェニルエチル基、フェニル���ロピル基（プロピル基の異性体を含む）、フェニルブチル基（ブチル基の異性体を含む）、フェニルペンチル基（ペンチル基の異性体を含む）、フェニルヘキシル基（ヘキシル基の異性体を含む）などの炭素数７〜１２の各アリールアルキル基などが挙げられる。
【００５１】
なお、上記のアルキル基やアルケニル基は、窒素原子に結合する部分の炭素原子が第１級炭素である、いわゆるプライマリーのアルキル基やアルケニル基でもよく、当該炭素原子が第２級である、いわゆるセカンダリーのアルキル基やアルケニル基でもよく、さらに当該炭素原子が第３級である、いわゆるターシャリーのアルキル基やアルケニル基でもよい。
【００５２】
一般式（２）で表される化合物の中でも、Ｒ5 、Ｒ6 、Ｒ7 およびＲ8 が別個に炭素数４〜１３のアルキル基であるジアルキルジチオカルバミン酸亜鉛は、酸化安定性の高い潤滑油組成物を与える点で特に好ましい。
【００５３】
ジヒドロカルビルジチオカルバミン酸亜鉛として特に好ましい具体例を摘記すると、例えば、ジ（直鎖または分枝）ブチルジチオカルバミン酸亜鉛、ジ（直鎖または分枝）ペンチルジチオカルバミン酸亜鉛、ジ（直鎖または分枝）ヘキシルジチオカルバミン酸亜鉛、ジ（直鎖または分枝）ヘプチルジチオカルバミン酸亜鉛、ジ（直鎖または分枝）オクチルジチオカルバミン酸亜鉛、ジ（直鎖または分枝）ノニルジチオカルバミン酸亜鉛、ジ（直鎖または分枝）デシルジチオカルバミン酸亜鉛、ジ（直鎖または分枝）ウンデシルジチオカルバミン酸亜鉛、ジ（直鎖または分枝）ドデシルジチオカルバミン酸亜鉛、ジ（直鎖または分枝）トリデシルジチオカルバミン酸亜鉛、ジ（直鎖または分枝）、およびこれらの混合物などを挙げることができる。
【００５４】
また成分（３）の他の好適な例であるジアルキルジチオカルバミン酸モリブデンとしては以下の一般式（３）で表されるものが挙げられる。
【００５５】
【化３】
0004165773.tif 000004
【００５６】
上記一般式（３）中、Ｒ9 、Ｒ10、Ｒ11およびＲ12は、別個に、炭素数１〜１８の炭化水素基を示し、そうした炭化水素基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝のペンチル基、直鎖または分枝のヘキシル基、直鎖または分枝のヘプチル基、直鎖または分枝のオクチル基、直鎖または分枝のノニル基、直鎖または分枝のデシル基、直鎖または分枝のウンデシル基、直鎖または分枝のドデシル基、直鎖または分枝のトリデシル基、直鎖または分枝のテトラデシル基、直鎖または分枝のペンタデシル基、直鎖または分枝のヘキサデシル基、直鎖または分枝のヘプタデシル基、直鎖または分枝のオクタデシル基などの炭素数１〜１８のアルキル基；直鎖または分枝のブテニル基、直鎖または分枝のペンテニル基、直鎖または分枝のヘキセニル基、直鎖または分枝のヘプテニル基、直鎖または分枝のオクテニル基、直鎖または分枝のノネニル基、直鎖または分枝のデセニル基、直鎖または分枝のウンデセニル基、直鎖または分枝のドデセニル基、直鎖または分枝のトリデセニル基、直鎖または分枝のテトラデセニル基、直鎖または分枝のペンタデセニル基、直鎖または分枝のヘキサデセニル基、直鎖または分枝のヘプタデセニル基、直鎖または分枝のオクタデセニル基などの炭素数４〜１８のアルケニル基；シクロペンチル基、シクロヘキシル基、シクロヘプチル基などの炭素数５〜７のシクロアルキル基；メチルシクロペンチル基、ジメチルシクロペンチル基（全ての構造異性体を含む）、メチルエチルシクロペンチル基（全ての構造異性体を含む）、ジエチルシクロペンチル基（全ての構造異性体を含む）、メチルシクロヘキシル基、ジメチルシクロヘキシル基（全ての構造異性体を含む）、メチルエチルシクロヘキシル基（全ての構造異性体を含む）、ジエチルシクロヘキシル基（全ての構造異性体を含む）、メチルシクロヘプチル基、ジメチルシクロヘプチル基（全ての構造異性体を含む）、メチルエチルシクロヘプチル基（全ての構造異性体を含む）、ジエチルシクロヘプチル基（全ての構造異性体を含む）などの炭素数６〜１１のアルキルシクロアルキル基；フェニル基、ナフチル基などのアリール基；トリル基（全ての構造異性体を含む）、キシリル基（全ての構造異性体を含む）、エチルフェニル基（全ての構造異性体を含む）、直鎖または分枝のプロピルフェニル基（全ての構造異性体を含む）、直鎖または分枝のブチルフェニル基（全ての構造異性体を含む）、直鎖または分枝のペンチルフェニル基（全ての構造異性体を含む）、直鎖または分枝のヘキシルフェニル基（全ての構造異性体を含む）、直鎖または分枝のヘプチルフェニル基（全ての構造異性体を含む）、直鎖または分枝のオクチルフェニル基（全ての構造異性体を含む）、直鎖または分枝のノニルフェニル基（全ての構造異性体を含む）、直鎖または分枝のデシルフェニル基（全ての構造異性体を含む）、直鎖または分枝のウンデシルフェニル基（全ての構造異性体を含む）、直鎖または分枝のドデシルフェニル基（全ての構造異性体を含む）などの炭素数７〜１８の各アルキルアリール基；ベンシル基、フェニルエチル基、フェニ���プロピル基（プロピル基の異性体を含む）、フェニルブチル基（ブチル基の異性体を含む）、フェニルペンチル基（ペンチル基の異性体を含む）、フェニルヘキシル基（ヘキシル基の異性体を含む）などの炭素数７〜１２の各アリールアルキル基などが挙げられる。
【００５７】
なお、上記のアルキル基やアルケニル基は、窒素原子に結合する部分の炭素原子が第１級炭素である、いわゆるプライマリーのアルキル基やアルケニル基でもよく、当該炭素原子が第２級である、いわゆるセカンダリーのアルキル基やアルケニル基でもよく、さらに当該炭素原子が第３級である、いわゆるターシャリーのアルキル基やアルケニル基でもよい。
【００５８】
一般式（３）で表される化合物の中でも、Ｒ9 、Ｒ11、Ｒ11およびＲ12が別個に炭素数４〜１３のアルキル基であるジアルキルジチオカルバミン酸モリブデンは、酸化安定性の高い潤滑油組成物を与える点で特に好ましい。
【００５９】
上記一般式（３）におけるＸ1 、Ｘ2 、Ｘ3 およびＸ4 は、別個に、硫黄原子または酸素原子を示しているが、高い酸化安定性を得るためＸ1 、Ｘ2 、Ｘ3 およびＸ4 の少なくとも１個は硫黄原子であることが好ましい。
【００６０】
本発明においては、一般式（３）に包含されるジアルキルジチオカルバミン酸モリブデンの２種以上を任意の割合で混合して使用することもできる。そしてこの場合には、一般式（３）中の下記に示す原子団（Ａ）の平均構造を−Ｍｏ2 ＳａＯ（ｘ−ａ）−で表した場合に、ａが好ましくは１〜３、より好ましくは１．５〜２．５であるジアルキルジチオカルバミン酸モリブデン混合物を使用することが、酸化安定性および軸受の腐食に対する安定性の点で好ましい。
【００６１】
【化４】
0004165773.tif 000005
【００６２】
上記原子団（Ａ）中のＸ1 、Ｘ2 、Ｘ3 およびＸ4 は、一般式（３）におけるＸ1 、Ｘ2 、Ｘ3 およびＸ4 をそれぞれ示す。
【００６３】
ジヒドロカルビルジチオカルバミン酸モリブデンとして特に好ましい具体例を摘記すると、例えば、ジ（直鎖または分枝）ブチルジチオカルバミン酸硫化モリブデン、ジ（直鎖または分枝）ペンチルジチオカルバミン酸硫化モリブデン、ジ（直鎖または分枝）ヘキシルジチオカルバミン酸硫化モリブデン、ジ（直鎖または分枝）ヘプチルジチオカルバミン酸硫化モリブデン、ジ（直鎖または分枝）オクチルジチオカルバミン酸硫化モリブデン、ジ（直鎖または分枝）ノニルジチオカルバミン酸硫化モリブデン、ジ（直鎖または分枝）デシルジチオカルバミン酸硫化モリブデン、ジ（直鎖または分枝）ウンデシルジチオカルバミン酸硫化モリブデン、ジ（直鎖または分枝）ドデシルジチオカルバミン酸モリブデン、ジ（直鎖または分枝）トリデシルジチオカルバミン酸モリブデン、ジ（直鎖または分枝）ブチルジチオカルバミン酸硫化オキシモリブデン、ジ（直鎖または分枝）ペンチルジチオカルバミン酸硫化オキシモリブデン、ジ（直鎖または分枝）ヘキシルジチオカルバミン酸硫化オキシモリブデン、ジ（直鎖または分枝）ヘプチルジチオカルバミン酸硫化オキシモリブデン、ジ（直鎖または分枝）オクチルジチオカルバミン酸硫化オキシモリブデン、ジ（直鎖または分枝）ノニルジチオカルバミン酸硫化オキシモリブデン、ジ（直鎖または分枝）デシルジチオカルバミン酸硫化オキシモリブデン、ジ（直鎖または分枝）ウンデシルジチオカルバミン酸硫化オキシモリブデン、ジ（直鎖または分枝）ドデシルジチオカルバミン酸硫化オキシモリブデン、ジ（直鎖または分枝）トリデシルジチオカルバミン酸硫化オキシモリブデン、およびこれらの混合物などを挙げることができる。
【００６４】
また成分（３）の他の好適な例であるサルファイド類としては、具体的には例えば、以下の一般式（４）で表されるジヒドロカルビルポリサルファイドが挙げられる。
【００６５】
Ｒ13−Ｓg −Ｒ14              一般式（４）
【００６６】
式中、Ｒ13およびＲ14は同一でも異なっていてもよく、それぞれ炭素数１〜２２の直鎖状または分枝状のアルキル基、炭素数６〜２０のアリール基、炭素数７〜２０のアルキルアリール基、または炭素数７〜２０のアリールアルキル基を示し、ｇは１〜５、好ましくは１〜２、さらに好ましくは２を示す。
【００６７】
Ｒ13およびＲ14の具体例としてはメチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、シクロヘキシル基、直鎖または分枝ヘプチル基、直鎖または分枝オクチル基（ｔｅｒｔ−オクチル基等）、直鎖または分枝ノニル基、直鎖または分枝デシル基、直鎖または分枝ウンデシル基、直鎖または分枝ドデシル基（ｔｅｒｔ−ドデシル基等）、直鎖または分枝トリデシル基、直鎖または分枝テトラデシル基、直鎖または分枝ペンタデシル基、直鎖または分枝ヘキサデシル基（２−メチルペンタデシル基、ｔｅｒｔ−ヘキサデシル基等）、直鎖または分枝ヘプタデシル基、直鎖または分枝オクタデシル基、直鎖または分枝ノナデシル基、直鎖または分枝イコシル基、直鎖または分枝ヘンイコシル基、直鎖または分枝ドコシル基などのアルキル基；プロペニル基、ブテニル基などのアルケニル基；フェニル基、ナフチル基（全ての異性体を含む）などのアリール基；トリル基、エチルフェニル基、プロピルフェニル基、ブチルフェニル基、ペンチルフェニル基、ヘキシルフェニル基、ヘプチルフェニル基、オクチルフェニル基、ノニルフェニル基、デシルフェニル基、ウンデシルフェニル基、ドデシルフェニル基、キシリル基、エチルメチルフェニル基、ジエチルフェニル基、ジプロピルフェニル基、ジブチルフェニル基、メチルナフチル基、エチルナフチル基、プロピルナフチル基、ブチルナフチル基、ジメチルナフチル基、エチルメチルナフチル基、ジエチルナフチル基、ジプロピルナフチル基、ジブチルナフチル基などのアルキルアリール基（これらアルキルアリール基のアルキル部分は直鎖でも分枝でもよく、アルキル部分のアリール基上の置換位置は任意である。）；およびベンジル基、フェネチル基、フェニルプロピル基などのアリールアルキル基（これらアリールアルキル基のアルキル部分は直鎖でも分枝でもよく、アリール部分の置換位置は任意である。）を挙げることができる。
【００６８】
これらＲ13およびＲ14の具体例として挙げたもののうち、プロピレンまたはイソブテンから誘導された炭素数３〜１８のアルキル基；炭素数６〜８のアリール基；炭素数７〜８のアルキルアリール基；あるいは炭素数７〜８のアリールアルキル基が好ましい。これらの基としては例えば、イソプロピル基、プロピレン２量体から誘導される分枝状ヘキシル基、プロピレン３量体から誘導される分枝状ノニル基、プロピレン４量体から誘導される分枝状ドデシル基、プロピレン５量体から誘導される分枝状ペンタデシル基、プロピレン６量体から誘導される分枝状オクタデシル基、ｔｅｒｔ−ブチル基、イソブテン２量体から誘導される分枝状オクチル基、イソブテン３量体から誘導される分枝状ドデシル基、イソブテン４量体から誘導される分枝状ヘキサデシル基などのアルキル基（これらのアルキル基は全ての分枝異性体を含む。）；プロペニル基、ブテニル基などのアルケニル基；フェニル基、トリル基、エチルフェニル基、キシリル基などのアルキルアリール基（これらアルキルアリール基のアルキル部分は直鎖でも分枝でもよく、アルキル部分のアリール基上の置換位置は任意である。）；およびベンジル基、フェニルエチル基（フェニル基の置換位置は任意である。）などのアリールアルキル基が挙げられる。これらのうちプロピレンまたはイソブテンから誘導された炭素数３〜１８、特に６〜１５のアルキル基が特に好ましい。
【００６９】
ジヒドロカルビルポリサルファイドの具体例としてはジメチルモノサルファイド、ジメチルジサルファイド等のジメチルポリサルファイド；ジエチルモノサルファイド、ジエチルジサルファイド等のジエチルポリサルファイド；ジｎ−プロピルモノサルファイド、ジｎ−プロピルジサルファイド等のジｎ−プロピルポリサルファイド；ジイソプロピルモノサルファイド、ジイソプロピルジサルファイド等のジイソプロピルポリサルファイド；ジ−ｎ−ブチルモノサルファイド、ジ−ｎ−ブチルジサルファイド等のジ−ｎ−ブチルポリサルファイド；ジイソブチルモノサルファイド、ジイソブチルジサルファイド等のジイソブチルポリサルファイド；ジｓｅｃ−ブチルモノサルファイド、ジｓｅｃ−ブチルジサルファイド等のジｓｅｃ−ブチルポリサルファイド；ジｔｅｒｔ−ブチルモノサルファイド、ジｔｅｒｔ−ブチルジサルファイド等のジｔｅｒｔ−ブチルポリサルファイド；ジ（直鎖または分枝ペンチル）モノサルファイド、ジ（直鎖または分枝ペンチル）ジサルファイド等のジ（直鎖または分枝ペンチル）ポリサルファイド；ジ（直鎖または分枝ヘキシル）モノサルファイド、ジ（直鎖または分枝ヘキシル）ジサルファイド等のジ（直鎖または分枝ヘキシル）ポリサルファイド；ジシクロヘキシルモノサルファイド、ジシクロヘキシルジサルファイド等のジシクロヘキシルポリサルファイド；ジ（直鎖または分枝ヘプチル）モノサルファイド、ジ（直鎖または分枝ヘプチル）ジサルファイド等のジ（直鎖または分枝ヘプチル）ポリサルファイド；ジｔｅｒｔ−オクチルモノサルファイド、ジｔｅｒｔ−オクチルジサルファイド等のジｔｅｒｔ−オクチルポリサルファイド；ジ（直鎖または分枝オクチル）モノサルファイド、ジ（直鎖または分枝オクチル）ジサルファイド等のジ（直鎖または分枝オクチル）ポリサルファイド；ジ（直鎖または分枝ノニル）モノサルファイド、ジ（直鎖または分枝ノニル）ジサルファイド等のジ（直鎖または分枝ノニル）ポリサルファイド；ジ（直鎖または分枝デシル）モノサルファイド、ジ（直鎖または分枝デシル）ジサルファイド等のジ（直鎖または分枝デシル）ポリサルファイド；ジ（直鎖または分枝ウンデシル）モノサルファイド、ジ（直鎖または分枝ウンデシル）ジサルファイド等のジ（直鎖または分枝ウンデシル）ポリサルファイド；ジｔｅｒｔ−ドデシルモノサルファイド、ジｔｅｒｔ−ドデシルジサルファイド等のジｔｅｒｔ−ドデシルポリサルファイド；ジ（直鎖または分枝ドデシル）モノサルファイド、ジ（直鎖または分枝ドデシル）ジサルファイド等のジ（直鎖または分枝ドデシル）ポリサルファイド；ジ（直鎖または分枝トリデシル）モノサルファイド、ジ（直鎖または分枝トリデシル）ジサルファイド等のジ（直鎖または分枝トリデシル）ポリサルファイド；ジ（直鎖または分枝テトラデシル）モノサルファイド、ジ（直鎖または分枝テトラデシル）ジサルファイド等のジ（直鎖または分枝テトラデシル）ポリサルファイド；ジ（直鎖または分枝ペンタデシル）モノサルファイド、ジ（直鎖または分枝ペンタデシル）ジサルファイド等のジ（直鎖または分枝ペンタデシル）ポリサルファイド；ジ２−メチルペンタデシルモノサルファイド、ジ２−メチルペンタデシルジサルファイド等のジ２−メチルペンタデシルポリサルファイド；ジｔｅｒｔ−ヘキサデシルモノサルファイド、ジｔｅｒｔ−ヘキサデシルジサルファイド等のジｔｅｒｔ−ヘキサデシルポリサルファイド；ジ（直鎖または分枝ヘキサデシル）モノサルファイド、ジ（直鎖または分枝ヘキサデシル）ジサルファイド等のジ（直鎖または分枝ヘキサデシル）ポリサルファイド；ジ（直鎖または分枝ヘプタデシル）モノサルファイド、ジ（直鎖または分枝ヘプタデシル）ジサルファイド等のジ（直鎖または分枝ヘプタデシル）ポリサルファイド；ジ（直鎖または分枝オクタデシル）モノサルファイド、ジ（直鎖または分枝オクタデシル）ジサルファイド等のジ（直鎖または分枝オクタデシル）ポリサルファイド；ジ（直鎖または分枝ノナデシル）モノサルファイド、ジ（直鎖または分枝ノナデシル）ジサルファイド等のジ（直鎖または分枝ノナデシル）ポリサルファイド；ジ（直鎖または分枝イコシル）モノサルファイド、ジ（直鎖または分枝イコシル）ジサルファイド等のジ（直鎖または分枝イコシル）ポリサルファイド；ジ（直鎖または分枝ヘンイコシル）モノサルファイド、ジ（直鎖または分枝ヘンイコシル）ジサルファイド等のジ（直鎖または分枝ヘンイコシル）ポリサルファイド；ジ（直鎖または分枝ドコシル）モノサルファイド、ジ（直鎖または分枝ドコシル）ジサルファイド等のジ（直鎖または分枝ドコシル）ポリサルファイド；ジプロペニルモノサルファイド、ジプロペニルジサルファイド等のジプロペニルポリサルファイド；ジブテニルモノサルファイド、ジブテニルジサルファイド等のジブテニルポリサルファイド；ジフェニルモノサルファイド、ジフェニルジサルファイド等のジフェニルポリサルファイド；ジナフチルモノサルファイド、ジナフチルジサルファイド等のジナフチルポリサルファイド；ジトリルモノサルファイド、ジトリルジサルファイド等のジトリルポリサルファイド；ジエチルフェニルモノサルファイド、ジエチルフェニルジサルファイド等のジエチルフェニルポリサルファイド；ジプロピルフェニルモノサルファイド、ジプロピルフェニルジサルファイド等のジプロピルフェニルポリサルファイド；ジブチルフェニルモノサルファイド、ジブチルフェニルジサルファイド等のジブチルフェニルポリサルファイド；ジペンチルフェニルモノサルファイド、ジペンチルフェニルジサルファイド等のジペンチルフェニルポリサルファイド；ジヘキシルフェニルモノサルファイド、ジヘキシルフェニルジサルファイド等のジヘキシルフェニルポリサルファイド；ジヘプチルフェニルモノサルファイド、ジヘプチルフェニルジサルファイド等のジヘプチルフェニルポリサルファイド；ジオクチルフェニルモノサルファイド、ジオクチルフェニルジサルファイド等のジオクチルフェニルポリサルファイド；ジノニルフェニルモノサルファイド、ジノニルフェニルジサルファイド等のジノニルフェニルポリサルファイド；ジデシルフェニルモノサルファイド、ジデシルフェニルジサルファイド等のジデシルフェニルポリサルファイド；ジウンデシルフェニルモノサルファイド、ジウンデシルフェニルジサルファイド等のジウンデシルフェニルポリサルファイド；ジドデシルフェニルモノサルファイド、ジドデシルフェニルジサルファイド等のジドデシルフェニルポリサルファイド；ジキシリルモノサルファイド、ジキシリルジサルファイド等のジキシリルポリサルファイド；ジエチルメチルフェニルモノサルファイド、ジエチルメチルフェニルジサルファイド等のジエチルメチルフェニルポリサルファイド；ジ（ジエチルフェニル）モノサルファイド、ジ（ジエチルフェニル）ジサルファイド等のジ（ジエチルフェニル）ポリサルファイド；ジ（ジプロピルフェニル）モノサルファイド、ジ（ジプロピルフェニル）ジサルファイド等のジ（ジプロピルフェニル）ポリサルファイド；ジ（ジブチルフェニル）モノサルファイド、ジ（ジブチルフェニル）ジサルファイド等のジ（ジブチルフェニル）ポリサルファイド；ジメチルナフチルモノサルファイド、ジメチルナフチルジサルファイド等のジメチルナフチルポリサルファイド；ジエチルナフチルモノサルファイド、ジエチルナフチルジサルファイド等のジエチルナフチルポリサルファイド；ジプロピルナフチルモノサルファイド、ジプロピルナフチルジサルファイド等のジプロピルナフチルポリサルファイド；ジブチルナフチルモノサルファイド、ジブチルナフチルジサルファイド等のジブチルナフチルポリサルファイド；ジベンジルモノサルファイド、ジベンジルジサルファイド等のジベンジルポリサルファイド；ジフェネチルモノサルファイド、ジフェネチルジサルファイド等のジフェネチルポリサルファイド；ジフェニルプロピルモノサルファイド、ジフェニルプロピルジサルファイド等のジフェニルプロピルポリサルファイドおよびこれらの混合物などが挙げられる。
【００７０】
サルファイド類の他の化合物としては、以下の一般式（５）で表されるジエステルポリサルファイドが挙げられる。
【００７１】
Ｒ15ＯＣＯ（ＣＨ2 ）h Ｓj （ＣＨ2 ）k ＣＯＯＲ16      一般式（５）
【００７２】
式中、Ｒ15およびＲ16は同一でも異なっていてもよく、それぞれ炭素数２〜２０、好ましくは４〜２０の直鎖状または分枝状のアルキル基を、ｈおよびｋは同一でも異なっていてもよく、それぞれ２〜５、好ましくは２を、ｊは１〜２、好ましくは１を示す。
【００７３】
Ｒ15およびＲ16の具体例としてはエチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、直鎖または分枝ヘキサデシル基、直鎖または分枝ヘプタデシル基、直鎖または分枝オクタデシル基、直鎖または分枝ノナデシル基、直鎖または分枝イコシル基を挙げることができる。
【００７４】
ジエステルポリサルファイドの具体例としては
Ｃ4 Ｈ9 ＯＣＯ（ＣＨ2 ）2 Ｓ（ＣＨ2 ）2 ＣＯＯＣ4 Ｈ9 、
Ｃ4 Ｈ9 ＯＣＯ（ＣＨ2 ）2 Ｓ2 （ＣＨ2 ）2 ＣＯＯＣ4 Ｈ9 、
Ｃ5 Ｈ11ＯＣＯ（ＣＨ2 ）2 Ｓ（ＣＨ2 ）2 ＣＯＯＣ5 Ｈ11、
Ｃ5 Ｈ11ＯＣＯ（ＣＨ2 ）2 Ｓ2 （ＣＨ2 ）2 ＣＯＯＣ5 Ｈ11、
Ｃ6 Ｈ13ＯＣＯ（ＣＨ2 ）2 Ｓ（ＣＨ2 ）2 ＣＯＯＣ6 Ｈ13、
Ｃ6 Ｈ13ＯＣＯ（ＣＨ2 ）2 Ｓ2 （ＣＨ2 ）2 ＣＯＯＣ6 Ｈ13、
Ｃ7 Ｈ15ＯＣＯ（ＣＨ2 ）2 Ｓ（ＣＨ2 ）2 ＣＯＯＣ7 Ｈ15、
Ｃ7 Ｈ15ＯＣＯ（ＣＨ2 ）2 Ｓ2 （ＣＨ2 ）2 ＣＯＯＣ7 Ｈ15、
Ｃ8 Ｈ17ＯＣＯ（ＣＨ2 ）2 Ｓ（ＣＨ2 ）2 ＣＯＯＣ8 Ｈ17、
Ｃ8 Ｈ17ＯＣＯ（ＣＨ2 ）2 Ｓ2 （ＣＨ2 ）2 ＣＯＯＣ8 Ｈ17、
Ｃ9 Ｈ19ＯＣＯ（ＣＨ2 ）2 Ｓ（ＣＨ2 ）2 ＣＯＯＣ9 Ｈ19、
Ｃ9 Ｈ19ＯＣＯ（ＣＨ2 ）2 Ｓ2 （ＣＨ2 ）2 ＣＯＯＣ9 Ｈ19、
Ｃ10Ｈ21ＯＣＯ（ＣＨ2 ）2 Ｓ（ＣＨ2 ）2 ＣＯＯＣ10Ｈ21、
Ｃ10Ｈ21ＯＣＯ（ＣＨ2 ）2 Ｓ2 （ＣＨ2 ）2 ＣＯＯＣ10Ｈ21、
Ｃ11Ｈ23ＯＣＯ（ＣＨ2 ）2 Ｓ（ＣＨ2 ）2 ＣＯＯＣ11Ｈ23、
Ｃ11Ｈ23ＯＣＯ（ＣＨ2 ）2 Ｓ2 （ＣＨ2 ）2 ＣＯＯＣ11Ｈ23、
Ｃ12Ｈ25ＯＣＯ（ＣＨ2 ）2 Ｓ（ＣＨ2 ）2 ＣＯＯＣ12Ｈ25、
Ｃ12Ｈ25ＯＣＯ（ＣＨ2 ）2 Ｓ2 （ＣＨ2 ）2 ＣＯＯＣ12Ｈ25、
Ｃ13Ｈ27ＯＣＯ（ＣＨ2 ）2 Ｓ（ＣＨ2 ）2 ＣＯＯＣ13Ｈ27、
Ｃ13Ｈ27ＯＣＯ（ＣＨ2 ）2 Ｓ2 （ＣＨ2 ）2 ＣＯＯＣ13Ｈ27、
Ｃ14Ｈ29ＯＣＯ（ＣＨ2 ）2 Ｓ（ＣＨ2 ）2 ＣＯＯＣ14Ｈ29、
Ｃ14Ｈ29ＯＣＯ（ＣＨ2 ）2 Ｓ2 （ＣＨ2 ）2 ＣＯＯＣ14Ｈ29、
Ｃ15Ｈ31ＯＣＯ（ＣＨ2 ）2 Ｓ（ＣＨ2 ）2 ＣＯＯＣ15Ｈ31、
Ｃ15Ｈ31ＯＣＯ（ＣＨ2 ）2 Ｓ2 （ＣＨ2 ）2 ＣＯＯＣ15Ｈ31、
Ｃ16Ｈ33ＯＣＯ（ＣＨ2 ）2 Ｓ（ＣＨ2 ）2 ＣＯＯＣ16Ｈ33、
Ｃ16Ｈ33ＯＣＯ（ＣＨ2 ）2 Ｓ2 （ＣＨ2 ）2 ＣＯＯＣ16Ｈ33、
Ｃ17Ｈ35ＯＣＯ（ＣＨ2 ）2 Ｓ（ＣＨ2 ）2 ＣＯＯＣ17Ｈ35、
Ｃ17Ｈ35ＯＣＯ（ＣＨ2 ）2 Ｓ2 （ＣＨ2 ）2 ＣＯＯＣ17Ｈ35、
Ｃ18Ｈ37ＯＣＯ（ＣＨ2 ）2 Ｓ（ＣＨ2 ）2 ＣＯＯＣ18Ｈ37、
Ｃ18Ｈ37ＯＣＯ（ＣＨ2 ）2 Ｓ2 （ＣＨ2 ）2 ＣＯＯＣ18Ｈ37、
Ｃ19Ｈ39ＯＣＯ（ＣＨ2 ）2 Ｓ（ＣＨ2 ）2 ＣＯＯＣ19Ｈ39、
Ｃ19Ｈ39ＯＣＯ（ＣＨ2 ）2 Ｓ2 （ＣＨ2 ）2 ＣＯＯＣ19Ｈ39、
Ｃ20Ｈ41ＯＣＯ（ＣＨ2 ）2 Ｓ（ＣＨ2 ）2 ＣＯＯＣ20Ｈ41、
Ｃ20Ｈ41ＯＣＯ（ＣＨ2 ）2 Ｓ2 （ＣＨ2 ）2 ＣＯＯＣ20Ｈ41
またはこれらの混合物が挙げられる。
【００７５】
サルファイド類の他の化合物としては、以下の一般式（６）で表されるテトラエステルテトラサルファイドが挙げられる。
【００７６】
（Ｒ17ＳＣＨ2 ＣＨ2 ＣＯＯＣＨ2 ）4 Ｃ          一般式（６）
【００７７】
式中、Ｒ17は炭素数８〜２０、好ましくは１０〜１８の直鎖状または分枝状のアルキル基を示す。Ｒ17の具体例としては直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、直鎖または分枝ヘキサデシル基、直鎖または分枝ヘプタデシル基、直鎖または分枝オクタデシル基、直鎖または分枝ノナデシル基、直鎖または分枝イコシル基を挙げることができ、特に直鎖または分枝ドデシル基、直鎖または分枝トリデシル基が好ましい。
【００７８】
テトラエステルテトラサルファイドの具体例としては
（Ｃ8 Ｈ17ＳＣＨ2 ＣＨ2 ＣＯＯＣＨ2 ）4 Ｃ、
（Ｃ9 Ｈ19ＳＣＨ2 ＣＨ2 ＣＯＯＣＨ2 ）4 Ｃ、
（Ｃ10Ｈ21ＳＣＨ2 ＣＨ2 ＣＯＯＣＨ2 ）4 Ｃ、
（Ｃ11Ｈ23ＳＣＨ2 ＣＨ2 ＣＯＯＣＨ2 ）4 Ｃ、
（Ｃ12Ｈ25ＳＣＨ2 ＣＨ2 ＣＯＯＣＨ2 ）4 Ｃ、
（Ｃ13Ｈ27ＳＣＨ2 ＣＨ2 ＣＯＯＣＨ2 ）4 Ｃ、
（Ｃ14Ｈ29ＳＣＨ2 ＣＨ2 ＣＯＯＣＨ2 ）4 Ｃ、
（Ｃ15Ｈ31ＳＣＨ2 ＣＨ2 ＣＯＯＣＨ2 ）4 Ｃ、
（Ｃ16Ｈ33ＳＣＨ2 ＣＨ2 ＣＯＯＣＨ2 ）4 Ｃ、
（Ｃ17Ｈ35ＳＣＨ2 ＣＨ2 ＣＯＯＣＨ2 ）4 Ｃ、
（Ｃ18Ｈ37ＳＣＨ2 ＣＨ2 ＣＯＯＣＨ2 ）4 Ｃ、
（Ｃ19Ｈ39ＳＣＨ2 ＣＨ2 ＣＯＯＣＨ2 ）4 Ｃ、
（Ｃ20Ｈ41ＳＣＨ2 ＣＨ2 ＣＯＯＣＨ2 ）4 Ｃまたはこれらの混合物が挙げられ、特に
（Ｃ12Ｈ25ＳＣＨ2 ＣＨ2 ＣＯＯＣＨ2 ）4 Ｃが好ましい。
【００７９】
本発明において成分（３）は基油１００重量部に対し、０．０１重量部以上、好ましくは０．１重量部以上であり、かつ１０重量部以下、好ましくは５重量部以下の範囲で配合する。成分（３）の配合量が上記０．０１重量部未満である場合は十分な酸化防止効果が得られないため好ましくなく、また成分（３）の配合量が上記１０重量部を超える場合は摩耗が発生するおそれがあるため好ましくない。
【００８０】
本発明の潤滑油組成物は、それ自体でも優れた酸化安定性を備えるが、これらの各種性能をさらに高める目的で、公知の潤滑油添加剤を単独で、または数種類組み合わせた形で、本発明の潤滑油組成物に配合することができる。
【００８１】
配合可能な公知の添加剤としては、例えば、中性、塩基性、炭酸カルシウム過塩基性、ホウ酸カルシウム過塩基性のアルカリ土類金属スルホネート、アルカリ土類金属サリシレート、アルカリ土類金属フェネートなどの清浄剤；有機リン酸エステル、有機亜リン酸エステル、脂肪酸、脂肪酸エステル、脂肪族アルコールなどの摩耗防止剤；ポリブテニルコハク酸イミド、長鎖アルキルポリアミン、長鎖脂肪酸とポリアミンのアミドまたはこれらのホウ素化物などの無灰分散剤；フェニル−α−ナフチルアミン、アルキルフェニル−α−ナフチルアミン、ジアルキルジフェニルアミンなどのアミン系酸化防止剤；フェノール系無灰酸化防止剤；モリブデンジチオホスフェート、二硫化モリブデン、長鎖脂肪族アミン、長鎖脂肪酸、長鎖脂肪酸エステル、長鎖脂肪族アルコールなどの摩擦低減剤；石油スルホネート、アルキルベンゼンスルホネート、ジノニルナフタレンスルホネート、アルケニルコハク酸エステル、多価アルコールエステルなどの防錆剤；ポリオキシエチレンアルキルエーテル、ポリオキシエチレンアルキルフェニルエーテル、ポリオキシエチレンアルキルナフチルエーテルなどのポリアルキレングリコール系非イオン系界面活性剤に代表される抗乳化剤；イミダゾリン、ピリミジン誘導体、アルキルチアジアゾール、メルカプトベンゾチアゾール、ベンゾトリアゾールまたはその誘導体、１，３，４−チアジアゾールポリスルフィド、１，３，４−チアジアゾリル−２，５−ビスジアルキルジチオカーバメート、２−（アルキルジチオ）ベンゾイミダゾール、β−（ｏ−カルボキシベンジルチオ）プロピオンニトリルなどの金属不活性化剤；シリコーン、フルオロシリコーン、フルオロアルキルエーテルなどの消泡剤；ポリメタクリレート、オレフィンコポリマーまたはその水素化物などの粘度指数向上剤が挙げられる。
【００８２】
これらの添加剤を本発明の潤滑油組成物に添加する場合には、その添加量は潤滑油組成物１００重量部に対し、消泡剤では０．０００５〜１重量部、金属不活性化剤では０．００５〜１重量部、その他の添加剤ではそれぞれ０．１〜１５重量部の範囲で通常選ばれる。
【００８３】
本発明の潤滑油組成物は２輪車、４輪車などのガソリンエンジン、陸用ディーゼルエンジン、舶用ディーゼルエンジンなどの内燃機関用潤滑油として特に好ましく使用できるが、その他、自動変速機油、手動変速機油、デファレンシャル油などの自動車用ギヤ油；工業用ギヤ油；油圧作動油；圧縮機油；冷凍機油；切削油；圧延油、プレス油、鍛造油、絞り加工油、引き抜き油、打ち抜き油などの塑性加工油；熱処理油、放電加工油などの金属加工油；すべり案内面油；軸受け油；錆止め油；熱媒体油など、各種用途に使用することができる。
【００８４】
【実施例】
以下、本発明の内容を実施例および比較例によりさらに具体的に説明するが、本発明はこれらによりなんら限定されるものではない。
使用した基油および添加剤を以下に示す。
【００８５】
１．成分（１）
（１）デセントリマー水素化物
ＡＳＴＭ  Ｄ  ２５４９による全芳香族含有量０質量％。
４０℃における動粘度１７．２５ｍｍ2 ／ｓ。
数平均分子量４２２。
（２）ワックス異性化物
ＡＳＴＭ  Ｄ  ２５４９による全芳香族含有量０．５質量％。前述したＡｎａｌｙｔｉｃａｌ  Ｃｈｅｍｉｓｔｒｙ  第４４巻の方法による飽和炭化水素成分９８．６質量％、芳香族炭化水素成分０．７質量％、極性化合物０．７質量％。４０℃における動粘度１６．５ｍｍ2 ／ｓ。１００℃における動粘度４ｍｍ2 ／ｓ。粘度指数１４４。流動点−１７．５℃。
【００８６】
２．成分（２）
（１）モノエイコシルテトラリン
４０℃における動粘度４０．２７ｍｍ2 ／ｓ。
【００８７】
３．成分（３）
（１）ジアルキルジチオリン酸亜鉛
アルキル基はｓｅｃ−ブチル基とｓｅｃ−ヘキシル基の混合アルキル基。有効濃度１００質量％。
（２）モリブデンジオクチルジチオカーバメート
鉱油で希釈されている。有効濃度３０質量％。
（３）ジベンジルジスルフィド
（４）ジラウリルチオジプロピオネート
【００８８】
４．その他
（１）溶剤精製鉱油
ＡＳＴＭ  Ｄ  ２５４９による全芳香族含有量２６質量％。４０℃における動粘度２２．７ｍｍ2 ／ｓ。１００℃における動粘度４．４ｍｍ2 ／ｓ。粘度指数１０１。流動点−１２．５℃。
（２）添加剤パッケージ
金属清浄剤、無灰分散剤、フェノール系酸化防止剤、腐食防止剤および摩擦調整剤を含む。
【００８９】
（実施例１〜４）
表１に示す組成を有する混合物を、温度８０℃で２時間加熱撹拌し、本発明の潤滑油組成物を得た。
高圧示差熱分析計を用いて温度２００℃、酸素圧２ＭＰａの条件下で酸化寿命を測定した。結果を表１に示す。
【００９０】
（比較例１〜５）
実施例と同様にして、表１に示す組成を有する比較のための潤滑油組成物を得た。実施例と同様にして酸化寿命を測定した。結果を表１に示す。
【００９１】
【表１】
0004165773.tif 000006
【００９２】
表１から判るように実施例１〜４の潤滑油組成物はいずれも優れた酸化安定性を示した。
それに対して、成分（１）の替わりに溶剤精製鉱油を使用した比較例１、成分（１）と成分（２）の配合割合が本発明の範囲からはずれた比較例２および比較例３、成分（２）を添加しなかった比較例４、および、成分（３）を添加しなかった比較例５の酸化安定性は十分なものではなかった。
このように、本発明の潤滑油組成物は各構成要素の一つが本発明の範囲から外れても十分な酸化安定性を得られないものであり、これらの構成要素を全て満たすことが重要である。
【００９３】
【発明の効果】
本発明の潤滑油組成物は高い酸化安定性を達成したものであり、従来の潤滑油よりも過酷な条件において使用することができる。
本発明の潤滑油組成物は２輪車、４輪車などのガソリンエンジン、陸用ディーゼルエンジン、舶用ディーゼルエンジンなどの内燃機関用潤滑油として特に好ましく使用できるが、その他、自動変速機油、手動変速機油、デファレンシャル油などの自動車用ギヤ油；工業用ギヤ油；油圧作動油；圧縮機油；冷凍機油；切削油；圧延油、プレス油、鍛造油、絞り加工油、引き抜き油、打ち抜き油などの塑性加工油；熱処理油、放電加工油などの金属加工油；すべり案内面油；軸受け油；錆止め油；熱媒体油など、各種用途に使用することができる。